(57)【要約】【課題】奥行きの寸法が異なる電子機器に対応可能な、電子機器の挿抜手段を提供する。【解決手段】本発明の電子機器の挿抜手段１は、ケージ３への電子機器２の挿抜手段である。挿抜手段１は、電子機器２に回転可能に連結されたインジェクタ１１と、インジェクタ１１の端部１１ａに回転可能に連結され、電子機器２をケージ３に挿抜するべく、インジェクタ１１を回転させると、ケージ３に張り付いて反力を発生させる反力発生部１２と、を備える。反力発生部１２は吸盤であること、が好ましい。【選択図】図２
2011049208.tif 000002
【特許請求の範囲】
【請求項１】
ケージへの電子機器の挿抜手段であって、
前記電子機器に回転可能に連結されたインジェクタと、
前記インジェクタの端部に回転可能に連結され、前記電子機器を前記ケージに挿抜するべく、前記インジェクタを回転させると、前記ケージに張り付いて反力を発生させる反力発生部と、
を備える電子機器の挿抜手段。
【請求項２】
前記反力発生部は吸盤であることを特徴とする請求項１に記載の電子機器の挿抜手段。
【請求項３】
前記電子機器の引抜方向側の隅部に設けられていることを特徴とする請求項１又は２に記載の電子機器の挿抜手段。
【請求項４】
ケージに挿抜される電子機器であって、
請求項１乃至３のいずれか１項に記載の挿抜手段を備える電子機器。
【請求項５】
ケージへの電子機器の挿抜方法であって、
前記電子機器に回転可能に連結されたインジェクタの端部に回転可能に反力発生部を連結し、前記インジェクタを回転させて前記反力発生部を前記ケージに張り付け、前記ケージに反力をとって、前記電子機器を前記ケージに挿抜する電子機器の挿抜方法。
【請求項６】
前記反力発生部は吸盤であることを特徴とする請求項５に記載の電子機器の挿抜方法。
【請求項７】
前記電子機器の引抜方向側の隅部に設けることを特徴とする請求項５又は６に記載の電子機器の挿抜方法。
【発明の詳細な説明】
【技術分野】
【０００１】
本発明は、電子機器の挿抜手段及び当該挿抜手段を備えた電子機器、電子機器の挿抜方法に関する。
【背景技術】
【０００２】
電子機器の挿抜手段（以下、挿抜手段と省略する場合がある。）は、図８に示すように、ケージ３に電子機器２を挿抜する際に用いられる。例えば、特許文献１に開示された挿抜手段は、ケージ３に電子機器２を挿入し、電子機器２のコネクタ２１をケージ３のバックボード３１に設けられたコネクタ３２に嵌め込む際に、当該コネクタ相互の嵌め込みを補助する。また、当該挿抜手段は、電子機器２のコネクタ２１をケージ３のバックボード３１に設けられたコネクタ３２から引き抜く際に、当該コネクタ相互の引き抜きを補助する。
【０００３】
具体的に云うと、挿抜手段は、図９に示すように、インジェクタ１１、リヤバー４を備える。インジェクタ１１は、電子機器２の側面における引抜方向側の上下隅部に回転可能に連結されている。リヤバー４は、ケージ３の上面及び底面に設けられている。リヤバー４は、ケージ３の左右方向に延在する溝部４ａを有する。電子機器２のコネクタ２１をバックボード３１に設けられたコネクタ３２に嵌め込む際には、電子機器２のコネクタ２１がバックボード３１に設けられたコネクタ３２と接触するまで、当該電子機器２をケージ３内に挿入し、その後、インジェクタ１１を回転させて先端部をリヤバー４の溝部４ａに引っ掛け、当該溝部４ａに反力をとって電子機器２のコネクタ２１をバックボード３１に設けられたコネクタ３２に嵌め込む。
ちなみに、特許文献２には、試験用プリント基板を吸盤で電子回路パッケージの表面板に着脱自在に取り付ける技術が開示されている。
【先行技術文献】
【特許文献】
【０００４】
【特許文献１】特開２００８−２２６９０２号公報
【特許文献２】特開平６−３５０２７５号公報
【発明の概要】
【発明が解決しようとする課題】
【０００５】
特許文献１に開示された挿抜手段は、電子機器のコネクタがバックボードに設けられたコネクタと接触するまで、当該電子機器をケージ内に挿入し、その後、インジェクタを回転させて先端部をリヤバーの溝部に良好に引っ掛けることができるように、リヤバーがケージに配置される。つまり、リヤバーの位置は一定であるので、図１０（ａ）、（ｂ）に示すように、奥行きの寸法Ｌが異なる電子機器の挿抜手段として用いることができない。
【０００６】
本発明の目的は、上述した課題を解決する電子機器の挿抜手段及び当該挿抜手段を備えた電子機器、電子機器の挿抜方法を提供することにある。
【課題を解決するための手段】
【０００７】
本発明の電子機器の挿抜手段は、ケージへの電子機器の挿抜手段であって、前記電子機器に回転可能に連結されたインジェクタと、前記インジェクタの端部に回転可能に連結され、前記電子機器を前記ケージに挿抜するべく、前記インジェクタを回転させると、前記ケージに張り付いて反力を発生させる反力発生部と、を備える。
本発明の電子機器は、上述の挿抜手段を備える。
【０００８】
本発明の電子機器の挿抜方法は、ケージへの電子機器の挿抜方法であって、前記電子機器に回転可能に連結されたインジェクタの端部に回転可能に反力発生部を連結し、前記インジェクタを回転させて前記反力発生部を前記ケージに張り付け、前記ケージに反力をとって、前記電子機器を前記ケージに挿抜する。
【発明の効果】
【０００９】
本発明によれば、奥行きの寸法が異なる電子機器に対応可能な、電子機器の挿抜手段及び当該挿抜手段を備えた電子機器、電子機器の挿抜方法を提供することができる。
【図面の簡単な説明】
【００１０】
【図１】本発明の実施の形態の電子機器の挿抜手段を概略的に示した斜視図である。
【図２】本発明の実施の形態の電子機器の挿抜手段を概略的に示した側面図である。
【図３】（ａ）は、本発明の実施の形態の電子機器の挿抜方法を概略的に示した側面図である。（ｂ）は、（ａ）の部分拡大図である。
【図４】（ａ）は、本発明の実施の形態の電子機器の挿抜方法を概略的に示した側面図である。（ｂ）は、（ａ）の部分拡大図である。
【図５】（ａ）は、本発明の実施の形態の電子機器の挿抜方法を概略的に示した側面図である。（ｂ）は、（ａ）の部分拡大図である。
【図６】（ａ）は、本発明の実施の形態の電子機器の挿抜方法を概略的に示した側面図である。（ｂ）は、（ａ）の部分拡大図である。
【図７】（ａ）は、本発明の実施の形態の電子機器の挿抜方法を概略的に示した側面図である。（ｂ）は、（ａ）の部分拡大図である。
【図８】関連する電子機器の挿抜手段を概略的に示した斜視図である。
【図９】関連する電子機器の挿抜手段を概略的に示した側面図である。
【図１０】（ａ）、（ｂ）は、奥行き寸法の異なる電子機器を説明する図である。
【発明を実施するための形態】
【００１１】
本発明の実施の形態に係る電子機器の挿抜手段及び当該挿抜手段を備えた電子機器、電子機器の挿抜方法について説明する。但し、本発明が以下の実施の形態に限定される訳ではない。また、説明を明確にするため、以下の記載及び図面は、適宜、簡略化されている。
【００１２】
本実施の形態の挿抜手段１は、図１に示すように、電子機器２をケージ３に挿抜する手段である。つまり、挿抜手段１は、電子機器２のコネクタ２１をケージ３のバックボード３１に設けられたコネクタ３２に嵌め込む、又は引き抜く際に、当該コネクタ２１、３１相互の嵌め込み、又は引き抜きを補助する。
【００１３】
挿抜手段１は、図２に示すように、インジェクタ１１と、反力発生部１２と、を備える。インジェクタ１１は、電子機器２に回転可能に連結されている。すなわち、インジェクタ１１は、梃子の原理を用いて電子機器を押し込む際に所謂梃子棒となる部材である。インジェクタ１１は、例えばＬ字形状の取手部材である。インジェクタ１１の一方の端部１１ａは、電子機器２の側面における引抜方向側の上下隅部に、当該電子機器２の挿抜方向に回転可能にピン連結されている。インジェクタ１１の端部１１ａには、反力発生部１２が連結されている。インジェクタ１１の他方の端部１１ｂは、作業者が指で当該インジェクタ１１を回転させる操作部分である。ちなみに、電子機器２は、例えばドーターカードである。電子機器２の縦辺の一方にコネクタ２１が設けられている。つまり、電子機器２の縦辺の他方側にインジェクタ１１が連結されている。ケージ３は、電子機器２が搭載される筐体である。
【００１４】
反力発生部１２は吸盤（以下、反力発生部１２と同一の符号を付する。）である。吸盤１２は、通例の吸盤と同じく、椀形状の吸着部１２ａと、吸着部１２ａの頂部に立設された柱形状の連結部１２ｂと、を備える。すなわち、吸盤１２は、吸着部１２ａが他の部材に押し付けられると、吸着部１２ａの内部の気圧が低い状態となって当該他の部材に張り付く。吸盤１２の連結部は、インジェクタ１１の端部１１ａに回転可能にピン連結されている。つまり、上側のインジェクタ１１には、端部１１ａの上面に吸盤１２が連結される。また、下側のインジェクタ１１には、端部１１ａの下面に吸盤１２が連結される。そのため、電子機器２をケージ３に挿入した際に、吸盤１２はケージ３の内面と対峙する。
【００１５】
このような挿抜手段１を備えた電子機器２は、以下のようにケージ３に挿入され、コネクタ相互が接続される。
先ず、図３（ａ）、（ｂ）に示すように、インジェクタ１１の端部１１ｂを略水平状態にして、作業者は、電子機器２のコネクタ２１がケージ３のバックボード３１に設けられたコネクタ３２に接触するまで、当該電子機器２をケージ３内に挿入する。
【００１６】
次に、図４（ａ）、（ｂ）に示すように、作業者は、インジェクタ１１の端部１１ｂを操作して当該インジェクタ１１をケージ３の内側方向に回転させる。さらに作業者は、インジェクタ１１をケージ３の内側方向に回転させると、図５（ａ）、（ｂ）に示すように、吸盤１２の吸着部１２ａがケージ３の内面（図示例では上面）に押し付けられ、当該吸着部１２ａがケージ３の内面に張り付く。
【００１７】
引き続き作業者は、インジェクタ１１をケージ３の内側方向に回転させると、図６（ａ）、（ｂ）に示すように、インジェクタ１１は吸盤１２を介してケージ３から反力をとって、電子機器２をケージ３内に押し込む。つまり、インジェクタ１１の端部１１ｂが作用点、吸盤１２がケージ３の内面に貼り付いた部分が支点、インジェクタ１１が電子機器２にピン連結された部分が力点となる梃子の原理で、電子機器２はケージ３内に押し込まれる。さらに作業者は、インジェクタ１１をケージ３の内側方向に回転させると、図７（ａ）、（ｂ）に示すように、インジェクタ１１によって電子機器２はケージ３内に押し込まれ、電子機器２のコネクタ２１はケージ３のバックボード３１に設けられたコネクタ３２に接続される。このように、インジェクタ１１は吸盤１２を介してケージ３から反力をとるので、奥行きの寸法が異なる電子機器を一つのケージ内に挿入する場合でも、良好に電子機器をケージ内に挿入することができる。言い換えると、電子機器の外形を統一化する必要がないので、小型化できる電子機器は小型化することができ、電子機器の原価を低減することができる。つまり、電子機器は、外形が小さくても部品が載りきる場合、その部品のボリュームによって電子機器の奥行き寸法が決められる。外形はプリント基板のコストに影響するので、小さくできれば原価低減が可能である。また、リヤバーを省略することができるので、ケージを簡素化することができ、リヤバー分の原価低減が可能である。
一方、挿抜手段１を備えた電子機器２をケージ３から引き抜く場合は、上述の電子機器２の挿入動作が逆になるだけであるので省略する。
ちなみに、吸盤１２がケージ３の内面に張り付いた部分と、インジェクタ１１が電子機器２にピン連結された部分との長さは、コネクタ相互を完全に嵌め込み、又は引き抜くことができるように、設定される。
【００１８】
本発明は上記実施の形態に限られたものではなく、趣旨を逸脱しない範囲で適宜変更することが可能である。
例えば、本実施形態の挿抜手段１は、電子機器２の上下隅部にそれぞれ設けているが、少なくとも一方に設けられていれば良い。
例えば、本実施形態のインジェクタ１１は、Ｌ字形状の取手部材であるが、要するに梃子の原理を用いて良好に電子機器２のコネクタ２１とケージ３のバックボード３１に設けられたコネクタ３２とを良好に接続することができれば、形状は限定されない。
例えば、本実施形態の反力発生部１２は吸盤であるが、ケージ３の内面に張り付くことができる部材であれば、限定されない。
【符号の説明】
【００１９】
１  電子機器の挿抜手段、１１  インジェクタ、１１ａ  インジェクタの一方の端部、１１ｂ  インジェクタの他方の端部
２  電子機器、２１  コネクタ
３  ケージ、３１  バックボード、３２  コネクタ
４  リヤバー、４ａ  溝部
１２  反力発生部（吸盤）、１２ａ  吸着部、１２ｂ  連結部
【図１】
2011049208.tif 000003
【図２】
2011049208.tif 000004
【図３】
2011049208.tif 000005
【図４】
2011049208.tif 000006
【図５】
2011049208.tif 000007
【図６】
2011049208.tif 000008
【図７】
2011049208.tif 000009
【図８】
2011049208.tif 000010
【図９】
2011049208.tif 000011
【図１０】
2011049208.tif 000012